(57)【要約】【課題】落下衝撃などの強い衝撃を受けた場合でも、不具合の発生を防止することができるレンズ駆動装置を提供すること。【解決手段】レンズ駆動装置１０は、アーム部３２０ａ〜３２０ｄを備えたバネ部材３２を有し、アーム部３２０ａ〜３２０ｄには、第２連結部３２２の曲率半径以上に形成された円弧状の第１伸長部３２３ａ〜３２３ｄ、および蛇行部３２８が形成されている。このように構成されたバネ部材３２においては、アーム部３２０ａ〜３２０ｄにかかる応力を効率よく緩和および分散させることができる。それ故、移動レンズ体３が光軸方向に直交する方向に移動した際、あるいは光軸に対して斜め方向に傾いた際の耐振性および耐衝撃性に優れている。【選択図】図３
2008261937.tif 000002
【特許請求の範囲】
【請求項１】
レンズを備えた移動レンズ体と、バネ部材を介して前記移動レンズ体を光軸方向に移動可能に支持する支持体と、前記移動レンズ体を前記光軸方向に駆動する磁気駆動機構とを備えたレンズ駆動装置において、
前記バネ部材は、複数本のアーム部と、該アーム部の外端部で前記支持体に連結された第１連結部と、前記アーム部の内端部で前記移動レンズ体の環状部に連結された第２連結部とを備え、
前記アーム部は、前記環状部の曲率半径と同等以上の曲率半径をもって延びた円弧状の第１伸長部を有していることを特徴とするレンズ駆動装置。
【請求項２】
前記アーム部と前記第２連結部との接続部分と、隣接する前記アーム部と前記第１連結部との接続部分とは、近接する角度方向に位置していることを特徴とする請求項１に記載のレンズ駆動装置。
【請求項３】
前記アーム部は、前記第１伸長部、および該第１伸長部より半径方向よりも周方向の寸法が短い複数の第２伸長部が、光軸方向と直交する面内方向で円弧状に屈曲する複数の屈曲部を介して直列に接続された蛇行部を備え、
前記複数の屈曲部のうち、最も内周側に位置する屈曲部では、外周縁および内周縁を円弧とみなしたとき、外周縁および内周縁とが非同心状態にあって、外周縁の曲率半径が内周縁の曲率半径より大きいことを特徴とする請求項１または２に記載のレンズ駆動装置。
【請求項４】
前記移動レンズ体は円筒状であり、
前記支持体の外周形状は多角形であり、
当該多角形と前記移動レンズ体の外周部分とにより挟まれた領域のうち、前記多角形の角部分に前記蛇行部が配置されていることを特徴とする請求項１乃至３の何れか一項に記載のレンズ駆動装置。
【請求項５】
前記複数のアーム部は、前記移動レンズ体の光軸を中心とする回転対称に形成されていることを特徴とする請求項１乃至４の何れか一項に記載のレンズ駆動装置。
【請求項６】
前記第２連結部には、前記アーム部の根元部分近傍に半径方向内側に凹む切り欠きが形成されていることを特徴とする請求項１乃至５の何れか一項に記載のレンズ駆動装置。
【請求項７】
前記アーム部は、前記第２連結部との接続部分近傍で半径方向外側に突き出た湾曲部を備えていることを特徴とする請求項１乃至６の何れか一項に記載のレンズ駆動装置。
【発明の詳細な説明】
【技術分野】
【０００１】
本発明は、レンズを光軸方向に変位駆動して被写体の像を結像させるレンズ駆動装置に
関する。
【背景技術】
【０００２】
近年、カメラが搭載されたカメラ付き携帯電話機や、デジタルカメラが普及しており、このような携帯機器に搭載されたカメラは、レンズを光軸方向に変位駆動させるレンズ駆動装置を有している。このようなレンズ駆動装置としては、レンズを備えた移動レンズ体と、バネ部材を介して移動レンズ体を光軸方向に移動可能に支持する支持体と、移動レンズ体を光軸方向に駆動する磁気駆動機構とを有しており、バネ部材としては、支持体に接続された円環状の外枠部と、移動レンズ体に接続された円環状の内枠部と、内枠部と外枠部とを連結する３本のアーム部とを備えた板バネが用いられている（特許文献１参照）。
【０００３】
このような板バネにおいて、アーム部は、外枠部と内枠部との間で周方向に延びてバネ性を発揮し、移動レンズ体の光軸方向の移動を可能とする。また、携帯機器は、携帯されるという性質上、振動や衝撃を受ける機会が多いが、かかる振動や衝撃は、アーム部で吸収されることになる。
【特許文献１】特開２００６−２０１５２５号公報
【発明の開示】
【発明が解決しようとする課題】
【０００４】
ここに、本願発明者は、レンズ駆動装置の外形形状が直方体である場合などにおいては、バネ部材として平面が矩形のものを用いることを提案するものである。しかしながら、この場合、バネ部材は、直方体状に形成された支持体の内周と、支持体の内部に配置された円柱状の移動レンズ体の外周とに囲まれた狭い領域内に配置されることになるため、アーム部の形状などについては設計の自由度が低くなってしまう。その結果、バネ部材では、十分なバネ性を確保できず、さらには、レンズ駆動装置において落下衝撃などの強い衝撃を受けて移動レンズ体が光軸方向と直交する方向やチルト方向に激しく動いた際にバネ部材に塑性変形や破断が発生しやすくなってしまい、レンズ駆動装置においてストローク不良などといった不具合が発生しやすいという問題点がある。
【０００５】
以上の問題に鑑みて、本発明の課題は、落下衝撃などの強い衝撃を受けた際、バネ部材に塑性変形や破断などといった不具合が発生するのを防止することが可能なレンズ駆動装置を提供することにある。
【課題を解決するための手段】
【０００６】
以上のような課題を解決するために、本発明では、レンズを備えた移動レンズ体と、バネ部材を介して前記移動レンズ体を光軸方向に移動可能に支持する支持体と、前記移動レンズ体を前記光軸方向に駆動する磁気駆動機構とを備えたレンズ駆動装置において、前記バネ部材は、複数本のアーム部と、該アーム部の外端部で前記支持体に連結された第１連結部と、前記アーム部の内端部で前記移動レンズ体の環状部に連結された第２連結部とを備え、前記アーム部は、前記環状部の曲率半径と同等以上の曲率半径をもって延びた円弧状の第１伸長部を有していることを特徴とする。
【０００７】
本発明では、アーム部は円弧状の第１伸長部を有しており、その曲率半径は、第２連結部の曲率半径以上である。これにより、第１伸長部を直線状に形成する場合と比して、第１伸長部をより長く形成することができるため、アーム部の剛性をより高めることができる。それ故、アーム部にかかる応力を効率的に緩和および分散させることができる。また、第１伸長部は、円弧状という簡素な形状であるため加工がしやすいという利点もある。
【０００８】
本発明において、前記アーム部と前記第２連結部との接続部分と、隣接する前記アーム部と前記第１連結部との接続部分とは、近接する角度方向に位置していることが好ましい。このように構成すると、第１伸長部を長くできる分、アーム部の剛性をより高めることができる。
【０００９】
本発明において、前記アーム部は、前記第１伸長部、および該第１伸長部より半径方向よりも周方向の寸法が短い複数の第２伸長部が、光軸方向と直交する面内方向で円弧状に屈曲する複数の屈曲部を介して直列に接続された蛇行部を備え、前記複数の屈曲部のうち、最も内周側に位置する屈曲部では、外周縁および内周縁を円弧とみなしたとき、外周縁および内周縁とが非同心状態にあって、外周縁の曲率半径が内周縁の曲率半径より大きいことを特徴とする。このように構成すると、アーム部においては、第１伸長部と蛇行部の２箇所によって応力が緩和されるため、より効率よくアーム部にかかる応力を分散させることができる。また、応力を複数の屈曲部に分散させることができる。また、応力が集中しやすい屈曲部の外周縁の剛性を高めることができる。
【００１０】
本発明において、前記移動レンズ体は円筒状であり、前記支持体の外周形状は多角形であり、当該多角形と前記移動レンズ体の外周部分とにより挟まれた領域のうち、前記多角形の角部分に前記蛇行部が配置されていることが好ましい。このように構成すると、蛇行部を配置するためのスペースを新たに設ける必要がないため、その分、レンズ駆動装置全体をより小さくすることができる。
【００１１】
本発明において、前記複数のアーム部は、前記移動レンズ体の光軸を中心とする回転対称に形成されていることが好ましい。このように構成すると、複数のアーム部の１つに応力が集中するという事態を回避することができる。
【００１２】
本発明において、前記第２連結部には、前記アーム部の根元部分近傍に半径方向内側に凹む切り欠きが形成されていることが好ましい。このように構成することにより、第２連結部から延びるアーム部の付け根の可動部が広がるため、その分バネ性が向上し、アーム部の付け根にて発生する応力集中を緩和することができる。
【００１３】
本発明において、前記アーム部は、前記第２連結部との接続部分近傍で半径方向外側に突き出た湾曲部を備えていることが好ましい。このように構成することにより、アーム部においては、第１伸長部、蛇行部に加えてさらに、湾曲部においても応力が緩和されるため、アーム部にかかる応力を分散させることができる。また、第２連結部から延びるアーム部の付け根にて発生する応力集中を効率よく緩和することができる。
【発明の効果】
【００１４】
本発明に係るレンズ駆動装置によれば、アーム部は円弧状の第１伸長部を有しており、その曲率半径は、第２連結部の曲率半径以上である。これにより、第１伸長部を直線状に形成する場合と比して、第１伸長部をより長く形成することができるため、アーム部の剛性をより高めることができる。それ故、アーム部にかかる応力を効率的に緩和および分散させることができる。従って、移動レンズ体が光軸方向に直交する方向に移動した際、あるいは光軸に対して斜め方向（チルト方向）に傾いた際の耐振性および耐衝撃性に優れている。また、バネ部材において、衝撃等により、移動レンズ体の光軸方向への過度の変位、移動レンズ体の光軸に対して直交する左右方向への変位、移動レンズ体の周方向への回転変位、移動レンズ体の光軸に対して斜め方向（チルト方向）の変位が発生した場合でも、かかる変位に起因する応力に十分、耐え得る剛性を備えているので、アーム部が塑性変形してしまう事態を確実に回避することができる。また、第１伸長部は、円弧状という簡素な形状であるため加工がしやすいという利点もある。
【発明を実施するための最良の形態】
【００１５】
以下、本発明を実施するための最良の形態について、図面を参照しながら説明する。なお、以下に説明するレンズ駆動装置は、カメラ付き携帯電話機の他にも、様々な電子機器に取り付けることが可能である。例えば、薄型のデジタルカメラ、ＰＨＳ、ＰＤＡ、バーコードリーダ、監視カメラ、車の背後確認用カメラ、光学的認証機能を有するドア等に用いることができる。
【００１６】
［実施の形態１］
（全体構成）
図１（Ａ）、（Ｂ）は各々、本発明を適用したレンズ駆動装置の正面を斜め上方からみた外観図、および分解斜視図である。
【００１７】
図１（Ａ）、（Ｂ）において、本形態のレンズ駆動装置１０は、カメラ付き携帯電話機などに用いられる薄型カメラにおいて、複数のレンズを光軸方向に沿って被写体（物体側）に近づくＡ方向（前側）、および被写体とは反対側（像側）に近づくＢ方向（後側）の双方向に移動させるためのものであり、直方体形状を有している。レンズ駆動装置１０は、概ね複数枚のレンズ１２１および固定絞り（図示せず）を円筒状のレンズホルダ１２に一体に保持した移動レンズ体３と、この移動レンズ体３を光軸方向に沿って移動させるレンズ駆動機構５と、レンズ駆動機構５および移動レンズ体３が搭載された支持体２とを有している。移動レンズ体３は、円筒状のスリーブ１５を備えており、その内側に円筒状のレンズホルダ１２が固着されている。従って、移動レンズ体３の外形形状はスリーブ１５によって規定され、略円柱形状を備えている。
【００１８】
本形態において、支持体２は、像側で撮像素子（図示せず）を保持するための矩形のベース１９と、被写体側に位置する矩形のケース１１と、ケース１１の被写体側を覆う板状カバー１８とを備えており、ケース１１および板状カバー１８の中央には、被写体からの反射光をレンズに取り込むための円形の入射窓１１０、１８０が各々形成されている。支持体２は、さらに、ベース１９とケース１１との間に挟持された角筒状のバックヨーク１６を備えており、バックヨーク１６は、後述する駆動マグネット１７とともに、駆動コイル１４１、１４２に鎖交磁界を発生させる鎖交磁界発生体４を構成している。
【００１９】
レンズ駆動機構５は、スリーブ１５の外周面に光軸の方向に２段に配置された円環状の第１の駆動コイル１４１と第２の駆動コイル１４２と、駆動コイル１４１、１４２に鎖交磁界を発生させる鎖交磁界発生体４とを備え、駆動コイル１４１、１４２および鎖交磁界発生体４により磁気駆動機構５ａが構成されている。鎖交磁界発生体４は、駆動コイル１４１、１４２に対して外周側で対向する４つの駆動マグネット１７と、鋼板などの強磁性板からなる角筒状のバックヨーク１６とを備えており、４つの駆動マグネット１７は各々、バックヨーク１６の内周面のうち、４つの角部分に固定されている。４つの駆動マグネット１７はいずれも光軸方向において２分割されており、いずれにおいても内面と外面とが異なる極に着磁されている。
【００２０】
バックヨーク１６は、ベース１９とケース１１との間に挟持された状態にあり、レンズ駆動装置１０の側面で露出し、その側面部を構成している。
【００２１】
レンズ駆動機構５は、さらに、バックヨーク１６とベース１９との間、およびバックヨーク１６とケース１１との間に各々、挟持されたバネ部材３１、３２を備えている。また、バネ部材３２には、端子３０８ａ、３０８ｂが形成されており、端子３０８ａ、３０８ｂの各々には、駆動コイル１４１、１４２各々の引き出し線が接続されている。本形態では、バネ部材３１に端子３０８ａ、３０８ｂが形成されていること以外は、バネ部材３１およびバネ部材３２の構成は略同一であり、双方とも金属製の薄板から形成され、光軸方向における厚さも同じであるため、生産性が高い。なお、バネ部材３１、３２の光軸方向における厚さは、便宜、変えてもよい。また、バネ部材３１、３２を構成する材質が互いに異なるが、厚さを同じにする構成を採用してもよい。バネ部材３１、３２の詳細な構成は後述する。
【００２２】
なお、レンズ駆動機構５は、スリーブ１５の上端に保持されたリング状、棒状、球状の磁性片（図示せず）を有することがあり、このような磁性片は、駆動マグネット１７との間に作用する吸引力により移動レンズ体３に対して光軸方向の付勢力を印加する。このため、移動レンズ体３が無通電時に自重で変位することを防止することができるため、移動レンズ体３に所望の姿勢を維持させることが可能である。また、磁性片をリング状に形成した場合、一種のバックヨークとして作用し、駆動マグネット１７と駆動コイル１４１、１４２との間に構成される磁路からの漏れ磁束を少なくすることができる。
【００２３】
（支持体２およびスリーブ１５の詳細な構成）
図２（Ａ）、（Ｂ）は各々、本発明を適用したレンズ駆動装置において、ケースおよび板状カバーを取った状態を被写体側からみた様子を示す構成図、スリーブにバネ部材を搭載した状態を被写体側からみた様子を示す斜視図である。以下、図１および図２を用いて、支持体２およびスリーブ１５の詳細な構成を説明する。
【００２４】
図１および図２に示すように、バックヨーク１６は、外周形状が略長方形であり、対向する一対の側面部１６１は平面状に形成され、他方の対向する一対の側面部１６２には、両端部１６３が内側に凹んでいる分、中央には外側に段差状に突出する凸部１６４が形成されている。
【００２５】
ケース１１は、バックヨーク１６の被写体側に被さり、中央には入射窓１１０が形成された板部１１５を有している。板部１１５の四隅には、被写体側に延びる凸部１１１、および撮像素子側に延びる凸部１１２が形成され、板部１１５の一対の対向する辺部には、板部１１５の上面で、後述する板状カバー１８の係合部１８９の周方向を保持する保持部１１３が形成されている。また、ベース１９には、その四隅に、被写体側に延びる凸部１９２が形成され、側面から被写体側に向かっては柱状部材１９１が延びている。なお、ベース１９の凸部１９２およびケース１１の凸部１１２は、後述するバネ部材３１、３２を支持体２に接続する際に用いられる。
【００２６】
板状カバー１８は非磁性の薄板（例えば、ＳＵＳ３０４）によって構成されており、ケース１１の被写体側に被さり、中央には入射窓１８０が形成されている天板部１８５を有している。天板部１８５は略長方形状をしているが、四隅および対向する一辺の中央付近には、それぞれ矩形状の切り欠き１８６、１８７が形成されている。天板部１８５の一対の対向辺部分からは１対の係合脚部１８１が下方に延びている。また、天板部１８５の他の一対の対向辺部分では、切り欠き１８７を挟む両端付近から１対の係合脚部１８２が各々下方に延びている。係合脚部１８１、１８２の各々には、その中央領域付近に貫通穴１８３が形成されている。
【００２７】
従って、ベース１９、バネ部材３１、バックヨーク１６、バネ部材３２、およびケース１１を重ねた状態で、板状カバー１８を重ね合わせる際、ケース１１の保持部１１３に板状カバー１８の切り欠き１８７を各々、嵌め込むことにより、ケース１１の上面に板状カバー１８が配置される。その際、天板部１８５の四隅に形成された切り欠き１８６内には、ケース１１の四隅に形成された凸部１１１が配置される。また、係合脚部１８１はバックヨーク１６の側面部１６１と当接し、係合脚部１８２はバックヨーク１６の側面部１６２に当接し、かつ、凸部１６４を挟み込むように配置される。このように配置された係合脚部１８１、１８２において、例えば、各々が有する貫通穴１８３より嫌気性接着剤を塗布することで側面部１６１、１６２と係合脚部１８１、１８２とを固定し、さらにレーザ溶接により側面部１６１、１６２と係合脚部１８１、１８２とを接合することにより、板状カバー１８をバックヨーク１６に固定することができる。
【００２８】
また、図２に示すように、スリーブ１５の側面かつ光軸方向上には、被写体側の端部、中央領域、および撮像素子側の端部の各々で、外周側に向けて延びる鍔状の度当たり部１５１、１５２、１５３が形成されている。そして、これらの度当たり部１５１、１５２、１５３は、スリーブ１５の間に挟んで対向するよう２つ設けられている。また、スリーブ１５の側面には、周方向かつ度当たり部１５１、１５２、１５３同士の間を通って環状に溝部１５５が２つ形成されており、２つの溝部１５５内に、コイルを巻回することにより、スリーブ１５の外周に駆動コイル１４１、１４２を配置することができる。
【００２９】
さらに、図２に示すように、スリーブ１５の被写体側の縁部には、周方向に延びる嵌合部１５６が形成されており、また、スリーブ１５の撮像素子側の縁部には、対向する位置で撮像素子側に向かって起立する柱状部（図示せず）が形成されている。これらは、後述するバネ部材３１、３２をスリーブ１５に搭載する際に用いられる。
【００３０】
このように形成されたスリーブ１５を支持体２内に配置する際は図２（Ｂ）に示すように、度当たり部１５１、１５２、１５３を、バックヨーク１６の凸部１６４の内側に配置する。このように配置することにより、衝撃等で移動レンズ体３が光軸方向と直交する方向に移動した場合、度当たり部１５１、１５２、１５３が、バックヨーク１６の凸部１６４の内側に当接するため、それ以上の移動レンズ体３の光軸方向と直交する方向における変位を防ぐことができる。なお、度当たり部１５１、１５２、１５３において、バックヨーク１６の凸部１６４の内側と当接する面は、Ｒ面によって構成してもよいし、角面によって構成してもよい。
【００３１】
（バネ部材３１、３２の詳細構成）
図３（Ａ）、（Ｂ）は各々、本発明の実施の形態１に係るレンズ駆動装置に用いられるバネ部材の全体、および一部を拡大して示す平面図である。以下、図１〜図３を用いて、バネ部材３１、３２の構成について説明する。
【００３２】
図１（Ｂ）、図２（Ａ）、（Ｂ）および図３（Ａ）に示すように、バネ部材３２は、支持体２に保持される４つの円環状の小さな第１連結部３２１ａ、３２１ｂ、３２１ｃ、３２１ｄと、スリーブ１５の環状端面１５ａに連結された円環枠状の第２連結部３２２と、第１連結部３２１と第２連結部３２２とを連結する４本のアーム部３２０ａ、３２０ｂ、３２０ｃ、３２０ｄとを備えており、光軸Ｏを中心として１８０度回転させたとき、元の形状と重なり合うように配置されている（回転対称）。また、４つの第１連結部３２１ａ〜３２１ｄは各々、支持体２を構成する矩形状のバックヨーク１６の四隅に配置され（図２（Ａ）参照）、第１連結部３２１ａ〜３２１ｄの内部にケース１１に形成された凸部１１２を挿入することにより、バネ部材３２はケース１１とバックヨーク１６との間に挟持される。第２連結部３２２には、複数の小穴３２２ａ、および複数の大きな切り欠き３２２ｂが形成されており、小穴３２２ａにスリーブ１５の環状端面１５ａに形成された小突起１５８を嵌め、大きな切り欠き３２２ｂに嵌合部１５６を嵌めた状態で、第２連結部３２２とスリーブ１５の上端部とが連結される（図２（Ｂ）参照）。
【００３３】
本形態では、第２連結部３２２の外周側に複数のアーム部３２０の一方端を一括で保持する外枠部を設けず、複数のアーム部３２０の一方端各々を、複数の第１連結部３２１で保持する構成となっている。このように構成することにより、アーム部３２０を配置可能な領域を多くとることができる。
【００３４】
本形態において、アーム部３２０ａ〜３２０ｄには、第２連結部３２２から略周方向に向かって延びる第１伸長部３２３ａ〜３２３ｄが形成されており、その付け根３２４ａ〜３２４ｄには、周方向における両サイドに、半径方向内側に向けて半円状に凹む切り欠き３２９が形成されている。また、アーム部３２０ａ〜３２０ｄにおいて、第１連結部３２１ａ〜３２１ｄの近傍には、複数の第２伸長部３２５が複数の第１屈曲部３２６によって直列に接続され、光軸方向と直交する面内方向にて延びる蛇行部３２８（３２８ａ〜３２８ｄ）が形成される。そして、蛇行部３２８の一方端は第１連結部３２１（３２１ａ〜３２１ｄ）に接続され、蛇行部３２８の他方端は、第２屈曲部３２７を介して第１伸長部３２３（３２１ａ〜３２１ｄ）と連結している。なお、蛇行部３２８ａ〜３２８ｄはバックヨーク１６の四隅に収納されるため（図２（Ａ）参照）、蛇行部３２８を配置するためのスペースを新たに設ける必要がなく、その分、レンズ駆動装置１０全体をより小さくすることができる。
【００３５】
本形態では、第１伸長部３２３（３２３ａ〜３２３ｄ）は、第２連結部３２２の曲率半径以上の曲率半径をもって円弧状に形成されている。ここで、第２連結部３２２は、スリーブ１５の環状端面１５ａと形状およびサイズが同一であるため、第１伸長部３２３（３２３ａ〜３２３ｄ）は、スリーブ１５の環状端面１５ａの曲率半径以上の曲率半径をもって円弧状に形成されていることになる。
【００３６】
また、第１伸長部３２３（３２３ａ〜３２３ｄ）においては、第２連結部３２２との距離が、付け根３２４側から第２屈曲部３２７側に向かうに従って、わずかに離間するように構成されている。このように構成することにより、アーム部３２０同士が干渉することを防ぐことができる。
【００３７】
複数の第２伸長部３２５は各々、円弧状または直線状に形成され、第１伸長部３２３に比して短い。また、複数の第２伸長部３２５は、第２連結部３２２の外周と同心円状、または第２連結部３２２の外周の接線と略平行となるように周方向の延びている。また、図３（Ｂ）に示すように、第２伸長部３２５と第１伸長部３２３とを連結する第２屈曲部３２７においては、その頂部の外周縁３２７ａは円弧状に形成され、内周縁３２７ｂは放物線状に形成されている。これにより、最も内周側に位置する第２屈曲部３２７の一部の幅ｗ１は、第１伸長部３２３および第２伸長部３２５における幅ｗ２、ｗ３よりも幅広に形成される。
【００３８】
なお、バネ部材３１の構成は、端子３０８ａ、３０８ｂが形成されていること以外はバネ部材３２と同様の構成であるため、その構成の説明を省略する。このように構成されたバネ部材３１は、複数の第１連結部各々の内部にベース１９に形成された凸部１９２を挿入することにより、バネ部材３１はバックヨーク１６とベース１９の間に挟持される。また、バネ部材３１の第２連結部にも、複数の小穴、および複数の大きな切り欠きが形成されており、これらの小穴および切り欠きに各々、スリーブ１５の下端部に形成された小突起、または嵌合部（いずれも図示せず）を嵌めた状態で、バネ部材３１の第２連結部とスリーブ１５の下端部とが連結される。
【００３９】
（本形態の主な効果）
以上説明したように、本形態では、移動レンズ体３を光軸方向に移動可能に支持するためのバネ部材３１、３２として略同一構造のものを用いているので、バネ部材３２の方を例に説明するが、バネ部材３２において、アーム部３２０ａ〜３２０ｄを構成する第１伸長部３２３ａ〜３２３ｄは、第２連結部３２２の曲率半径以上の円弧状に形成されている。これにより、第１伸長部３２３ａ〜３２３ｄを直線状に形成する場合と比して、第１伸長部３２３ａ〜３２３ｄをより長く形成することができるため、アーム部３２０における剛性をより高めることができる。また、第１伸長部３２３ａ〜３２３ｄの長さを調節することにより、バネ部材３２の剛性を所望値とすることができる。したがって、アーム部にかかる応力を効率的に緩和および分散させることができる。それ故、移動レンズ体３が光軸方向に直交する方向に移動した際、あるいは光軸に対して斜め方向（チルト方向）に傾いた際の耐振性および耐衝撃性に優れている。また、移動レンズ体３が光軸方向に直交する方向に移動した際、あるいは光軸に対して斜め方向に傾いた際に受ける応力にも十分、耐え得る剛性を備えているので、アーム部３２０ａ〜３２０ｄが塑性変形してしまう事態を確実に回避することができる。また、第１伸長部３２３の形状は円弧状と簡素であるため加工がしやすいという効果も奏する。
【００４０】
さらに本形態では、アーム部３２０には、第１伸長部３２３に加えて、蛇行部３２８が形成されている。このような蛇行部３２８を形成することにより、アーム部３２０にかかる応力は第１伸長部３２３と蛇行部３２８との２箇所で緩和されるため、アーム部３２０にかかる応力を効率よく分散させることができる。また、蛇行部３２８を構成する第２伸長部３２５と第１伸長部３２３とを連結する第２屈曲部３２７においては、第１伸長部３２３および第２伸長部３２５における幅よりも幅広に形成されるため、第２屈曲部３２７に集中する応力に対応する十分な剛性を得ることができる。
【００４１】
さらにまた、本形態では、バネ部材３１は回転対称となるように、アーム部３２０ａ〜３２０ｄ、第１連結部３２１ａ〜３２１ｄ、および第２連結部３２２等を構成している。これにより、バネ部材３１の一部に偏って応力がかかってしまうという事態を回避することができる。
【００４２】
さらにまた、本形態では、付け根３２４の両サイドに切り欠き３２９が形成されている。これにより、第２連結部３２２から延びるアーム部３２０の付け根３２４の可動領域が広がるため、その分バネ性が向上し、アーム部３２０の付け根３２４にて発生する応力集中を緩和することができる。
【００４３】
［実施の形態２］
図４は、本発明の実施の形態２に係るレンズ駆動装置に用いられるバネ部材の平面図である。
【００４４】
本発明では、実施の形態１に係るレンズ駆動装置１０にて用いられたバネ部材３２に代えて、図４に示すバネ部材３２Ｂを用いてもよい。図４に示すバネ部材３２Ｂの構成は、基本的な構造は図３に示したバネ部材３２と略同様であるが、本形態におけるバネ部材３２Ｂでは、アーム部３２０（３２０ａ〜３２０ｄ）において、第２連結部３２２から延びるアーム部３２０の付け根３２４（３２４ａ〜３２４ｄ）の近傍位置には、光軸方向と直交する方向に向かって凸状に形成される湾曲部３３０（３３０ａ〜３３０ｄ）が形成されている。このように構成することにより、バネ部材３２Ｂにかかる応力は、第１伸長部３２３（３２３ａ〜３２３ｄ）、蛇行部３２８（３２８ａ〜３２８ｄ）に加えて、湾曲部３３０でも緩和されるため、より効率よくバネ部材３２Ｂにかかる応力を分散させることができる。
【００４５】
［実施の形態２の変形例］
図５は、本発明の実施の形態２の変形例に係るレンズ駆動装置に用いられるバネ部材の平面図である。
【００４６】
本発明では、実施の形態１に係るレンズ駆動装置１０にて用いられたバネ部材３２に代えて、図５に示すバネ部材３２Ｃを用いてもよい。図５に示すバネ部材３２Ｃの構成は、基本的な構造は図４に示したバネ部材３２Ｂと略同様であるが、本形態におけるバネ部材３２Ｃでは、アーム部３２０（３２０ａ〜３２０ｄ）において、第２連結部３２２から延びるアーム部３２０の付け根３２４（３２４ａ〜３２４ｄ）の近傍位置には、光軸方向と直交する面内で半径方向外側に突き出た湾曲部３３１（３３１ａ〜３３１ｄ）が構成されている。また、本形態では、実施の形態１、２のように蛇行部が形成されておらず、代わりに、第１連結部３２１と第１伸長部３２３とは、周方向にて膨らむ湾曲部３３２によって連結されている。したがって、バネ部材３２Ｃにかかる応力は、第１伸長部３２３（３２３ａ〜３２３ｄ）、湾曲部３３２（３３２ａ〜３３２ｄ）、および湾曲部３３１（３３１ａ〜３３１ｄ）で緩和されるため、効率よくバネ部材３２Ｃにかかる応力を分散させることができる。
【００４７】
また、バネ部材３２Ｃにおいては、光軸Ｏを中心として９０度回転させたとき、元の形状と重なり合うように配置されている。さらに、アーム部３２０ａ（３２０ｂ、３２０ｃ、３２０ｄ）の湾曲部３３１ａ（３３１ｂ、３３１ｃ、３３１ｄ）は、隣接するアーム部３２０ｂ（３２０ｃ、３２０ｄ、３２０ａ）の湾曲部３３２ｂ（３３２ｃ、３３２ｄ、３３２ａ）の近傍位置に配置されている。したがって、例えば、レンズ駆動装置が落下衝撃などの強い衝撃を受け、これにより、アーム部３２０ａが周方向に激しく動くと、湾曲部３３２ａが隣接するアーム部３２０ｄの湾曲部３３１ｄに当接、もしくは、湾曲部３３１ａが隣接するアーム部３２０ｂの湾曲部３３２ｂに当接し、それ以上アーム部３２０ａが周方向に移動することを防止することができる。これにより、衝撃等の理由による複数のアーム部３２０ａ〜３２０ｄの塑性変形および破断を回避することができる。
【００４８】
［その他の実施の形態］
上記実施の形態において、第２連結部３２２は円環枠状であったが、第２連結部３２２が分割されて形成されている構成を採用してもよい。
【００４９】
また、上記実施の形態では、バネ部材３２に４本のアーム部３２０を形成したが、２本のアーム部を備えたバネ部材を用いてもよい。
【００５０】
さらに、上記形態においては、バックヨーク１６の形状を直方体状としたが、バックヨーク１６として、移動レンズ体３の外周の接線と平行な複数の側面によって定義される多角柱状のものを用いてもよい。このような構成では、バネ部材３２の蛇行部３２８は、バックヨーク１６を構成する側面のうちの２つが交差する隅部と移動レンズ体３の外周面とで定義される複数の空間内にそれぞれ配置される。
【００５１】
さらにまた、上記形態では、第２屈曲部３２７においては、その頂部の外周縁３２７ａを円弧状、内周縁３２７ｂを放射線状としたが、本発明では、第２屈曲部３２７の頂部における外周側および内周側を弧とする円の中心位置が互いに異なり、かつ第２屈曲部３２７の頂部における内周側の曲率のほうが外周側よりも大きい条件を満たせば、第２屈曲部３２７の頂部における外周側および内周側の形状は任意である。また、上記した条件を、第２伸長部３２５同士を連結する第１屈曲部３２６に適用してもよい。
【００５２】
さらにまた、上記形態では、第１伸長部３２３ａ〜３２３ｄにおいて、周方向における長さ寸法が第２連結部３２２の全周長さの１／４以上であるものを用いることが好ましい。このような構成は、例えば、アーム部３２０ａの付け根３２４ａ（アーム部３２０ａの第２連結部３２２との接続部分）と、隣接するアーム部３２０ｂの第１連結部３２１ｂとを、近接する角度方向に位置させ、アーム部３２０ｂ〜３２０ｄの付け根３２４ｂ〜３２４ｄにおいても同様に構成することにより実現することができる。このように構成することにより、第１伸長部３２３ａ〜３２３ｄの長さは、第２連結部３２２の全周の長さ寸法（スリーブ１５の環状端面１５ａの全周の長さ寸法）の１／４以上となり、第１伸長部３２３ａ〜３２３ｄにおいては、アーム部３２０の剛性を高めるのに必要な長さを確保することができる。なお、アーム部３２０の付け根３２４は、光軸方向と直交する方向に向かって一定長さに延びており、このように構成することにより、バネ部材３２におけるバネ定数は一定に保たれる。
【図面の簡単な説明】
【００５３】
【図１】（Ａ）、（Ｂ）は各々、本発明を適用したレンズ駆動装置に用いられるバネ部材の平面図、およびバネ部材の一部の拡大図である。
【図２】（Ａ）、（Ｂ）は各々、本発明を適用したレンズ駆動装置において、ケースおよび板状カバーを取った状態を被写体側からみた様子を示す構成図、スリーブにバネ部材を搭載した状態を被写体側からみた様子を示す斜視図である。
【図３】（Ａ）、（Ｂ）は各々、本発明の実施の形態１に係るレンズ駆動装置に用いられるバネ部材の全体、および一部を拡大して示す平面図である。
【図４】本発明の実施の形態２に係るレンズ駆動装置に用いられるバネ部材の平面図である。
【図５】本発明の実施の形態２の変形例に係るレンズ駆動装置に用いられるバネ部材の平面図である。
【符号の説明】
【００５４】
２  支持体
３  移動レンズ体
５  レンズ駆動機構
１０  レンズ駆動装置
１１  ケース
１５  スリーブ
１５ａ  スリーブの環状端面（移動レンズ体の環状部）
１６  バックヨーク
１７  駆動マグネット
１８  板状カバー
１９  ベース
３１、３２  バネ部材
１４１、１４２  駆動コイル
３０８ａ、３０８ｂ  端子
３２０ａ、３２０ｂ、３２０ｃ、３２０ｄ  アーム部
３２１ａ、３２１ｂ、３２１ｃ、３２１ｄ  第１連結部
３２２  第２連結部
３２３ａ、３２３ｂ、３２３ｃ、３２３ｄ  第１伸長部
３２４  付け根
３２５  第２伸長部
３２６、３２７  屈曲部
３２８ａ、３２８ｂ、３２８ｃ、３２８ｄ  蛇行部
３２９  切り欠き
【図１】
2008261937.tif 000003
【図２】
2008261937.tif 000004
【図３】
2008261937.tif 000005
【図４】
2008261937.tif 000006
【図５】
2008261937.tif 000007